(57)【要約】【課題】本発明の目的は、火災発生時等に乗りかご内にいた利用客が安全に避難することのできるエレベーター装置を提供することにある。【解決手段】複数階床からなる建屋に設けられた昇降路と乗場との間で火または煙が流通するのを防ぐ防火防煙手段と、該防火防煙手段を開閉させる駆動装置を備えたエレベーター装置において、火災発生時に乗りかごを休止させる乗りかご制御手段と、前記乗りかごが休止したことを検知する休止検知手段と、該休止検知手段により検知した休止情報を受信して前記駆動装置へ閉じ指令を出す駆動装置制御手段を有する。【選択図】  図１
2004155573.tif 000002
【特許請求の範囲】
【請求項１】
複数階床からなる建屋に設けられた昇降路と乗場との間で火または煙が流通するのを防ぐ防火防煙手段と、該防火防煙手段を開閉させる駆動装置を備えたエレベーター装置において、火災発生時に乗りかごを休止させる乗りかご制御手段と、前記乗りかごが休止したことを検知する休止検知手段と、該休止検知手段により検知した休止情報を受信して前記駆動装置へ閉じ指令を出す駆動装置制御手段を有することを特徴とするエレベーター装置。
【請求項２】
請求項１において、
前記駆動装置制御手段は、前記休止情報を受信した後、乗りかご内から一定時間操作がなかった場合に、前記駆動装置へ閉じ指令を出すことを特徴とするエレベーター装置。
【請求項３】
請求項１乃至２のいずれかにおいて、
火災発生階の防火防煙手段を閉じた後、火災発生階に近い階の防火防煙手段から順次閉じるようにしたことを特徴とするエレベーター装置。
【発明の詳細な説明】
【０００１】
【発明の属する技術分野】
本発明は、エレベーター装置に係り、特に、火災時に昇降路と乗場との間で火または煙の流通を防ぐ手段を備えたエレベーター用防火装置に関する。
【０００２】
【従来の技術】
従来から、火災時に昇降路と乗場との間を塞ぐ防火防煙シャッターを備えたエレベーター装置が提案されている（例えば、特許文献１参照）。
【０００３】
【特許文献１】
特開２００１―２７６２４３号公報（第６図）
【０００４】
【発明が解決しようとする課題】
しかしながら、上述した特許文献１のエレベーター装置では、火災発生時、防火防煙シャッターは一斉に駆動されるようになっていた。このため、火災発生時に乗りかご内に利用客がいた場合、乗りかごが所定階に非常停止しても、防火シャッターが既に閉じられており、利用客が乗りかごから出られないという重大事故の生じる恐れがあった。
【０００５】
したがって、本発明の目的は、火災発生時等に乗りかご内にいた利用客が安全に避難することのできるエレベーター装置を提供することにある。
【０００６】
【課題を解決するための手段】
上述の目的を達成するために、本発明では、複数階床からなる建屋に設けられた昇降路と乗場との間で火または煙が流通するのを防ぐ防火防煙手段と、該防火防煙手段を開閉させる駆動装置を備えたエレベーター装置において、火災発生時に乗りかごを休止させる乗りかご制御手段と、前記乗りかごが休止したことを検知する休止検知手段と、該休止検知手段により検知した休止情報を受信して前記駆動装置へ閉じ指令を出す駆動装置制御手段を有することを特徴とする。
【０００７】
上述した構成によれば、火災発生時、乗りかごに対して休止指令が出され、乗りかごが所定階に休止したことを確認した後に、防火防煙手段を閉じるため、火災発生時に乗りかご内にいた利用客が、乗りかご内に閉じ込められるという事態の発生を防止することができる。
【０００８】
【発明の実施の形態】
以下、本発明のエレベーター装置の実施の形態を図に基づいて説明する。
【０００９】
図１は本発明の一実施形態におけるエレベーター装置を備えた建屋全体の縦断側面図、図２は本発明の動作例を示すフローチャートである。
【００１０】
図１において、５階床からなる建屋１の側方には、エレベーター用の昇降路２が設けられている。また、建屋１の屋上に設けられたエレベーター用の機械室３には、エレベーターの駆動装置（図示せず）や制御装置４が設けられている。昇降路２内を昇降する乗りかご５は、駆動シーブ６に巻きかけられた主策７を介して吊り合いおもり８と連結されている。次に、各階床の乗場１０と昇降路２との間のエレベーター出入口には乗場ドア９が設けられ、この乗場ドア９の乗場側には、火災時に昇降路２と乗場１０との間で火または煙が流通するのを防ぐ防火防煙手段である防火防煙シャッター１１が設けられている。この防火防煙シャッター１１は、シャッター駆動装置１２によって開閉される構成となっている。更に、建屋１の屋上に設けられた非常電源装置１３は、バッテリーや発電機等で構成され、停電時、各階床に設けられたシャッター駆動装置１２を駆動するようになっている。
【００１１】
また、各階に設けられた火災検知器１４で検知された情報が、通信回線を通して制御装置４内の乗りかご制御手段に送られ、この乗りかご制御手段が検知情報を用いて乗りかご５を休止させる階を特定すると共に、乗りかご５に対して当該階に休止するよう指令を出す。
【００１２】
更に、乗りかご５が休止したことを検知する休止検知手段により、乗りかご５の休止が確認されると、当該休止情報を受信した駆動装置制御手段が、シャッター駆動装置１２に対して閉じ指令を出す。
【００１３】
ここで、駆動装置制御手段は、火災検知器１４で検知された情報を受信して記憶する検知情報記憶手段と、この検知情報に基づいて火災階を特定する火災階特定手段と、この火災階特定手段で特定された階より上方の階のうち火災階に近い階の防火防煙シャッター１１から順次閉じるように、各シャッター駆動装置１２に対して閉じ指令を出すシャッター指令手段とから構成されている。
【００１４】
以下、本発明の動作について、図２を用いて説明する。まず、建屋１内の各階に設けられた火災検知器１４により火災かどうかの判定を行う（手順Ｓ１）。ここで、火災を検出しない状態ではエレベーターは正常な運転を行っていることになる。一方、火災が検出されると、乗りかご制御手段が乗りかご５を所定の階に休止させる（手順Ｓ２）。次に、休止検知手段により、乗りかご５がその所定階に休止したかどうかの判定がなされる（手順Ｓ３）。休止が確認されると、駆動装置制御手段がシャッター駆動装置１２に対して閉じ指令を出し、出入口を防火防煙シャッター１１で閉鎖し（手順Ｓ４）、火炎や煙が昇降路２内に侵入するのを防止する。
【００１５】
以上のように、火災発生時、乗りかごに対して休止指令が出され、乗りかごが所定階に休止したことを確認した後に、防火防煙手段を閉じるため、火災発生時に乗りかご内にいた利用客が、乗りかご内に閉じ込められるという事態の発生を防止することができる。
【００１６】
尚、本実施形態では、乗りかご５の休止後、防火防煙シャッター１１を一斉に閉じるようにしたが、例えば、火災階が階床３である場合、階床４，階床５，階床２，階床１と順次閉じるようにしても良い。全ての階のシャッター駆動装置１２を一斉に駆動させるのではなく、各階のシャッター駆動装置毎に１台ずつ駆動させるため、非常電源装置１３の容量が不足するという事態も防止することができる。すなわち、シャッター駆動装置１台を駆動させるだけの少ない電源容量であっても、最終的に全ての階の防火防煙シャッター１１を閉じることができる。また、上方の階床４，階床５の後、下方の階床２の順としたのは、火炎や煙は上方へ移動するためである。
【００１７】
更に、乗りかご５の休止が確認された後、一定時間が経過してから防火防煙シャッター１１が閉じるように駆動制御手段で制御することにより、利用客が乗りかご５から出る時間を十分確保することもできる。また、乗りかご５の休止後、乗りかご内から一定時間操作がなかった場合に、防火防煙シャッター１１が閉じるように制御しても良い。もちろん、乗りかご内を監視して利用客がいないことが確認され次第、防火防煙シャッター１１を閉じるように制御しても構わない。
【００１８】
【発明の効果】
本発明によれば、火災発生時等に乗りかご内にいた利用客が、乗りかご内に閉じ込められるという事態の発生を防止することができる。
【図面の簡単な説明】
【図１】本発明の一実施形態におけるエレベーター装置を備えた建屋全体の縦断側面図である。
【図２】本発明の動作例を示すフローチャートである。
【符号の説明】
１…建屋、２…昇降路、５…乗りかご、９…乗場ドア、１０…乗場、１１…防火防煙シャッター、１２…シャッター駆動装置、１３…非常電源装置、１４…火災検知器、
【図１】
2004155573.tif 000003
【図２】
2004155573.tif 000004